(57)【要約】【課題】構造が簡単で、使用しやすく、且つユーザーの脚上に着装し、ユーザーがスマートフォンを視聴したり操作したりする快適さを高める脚上設置型のスマホスタンドを提供する。【解決手段】脚上設置型のスマホスタンドは、固定台１０、連接部材２０および支持部材３０を含む。連接部材２０は前述の固定台１０を連結するために設置し、連接部材２０はユーザーの脚上に着装する。また、支持部材３０は取付部３１および結合部３２を有し、前記取付部３１は物品を固定、支持するのに用い、結合部３２は固定台１０に固定して設置される。【選択図】図１
0003230399.tif 000002
【実用新案登録請求の範囲】
【請求項１】
脚上設置型のスマホスタンドであって、
固定台と、
前記固定台を連結するために設置し、ユーザーの脚上に着装する連接部材と、
取付部および結合部を有し、前記取付部は物品を固定、支持するのに用い、前記結合部は前記固定台に固定設置される支持部材と、を含むことを特徴とする、
脚上設置型のスマホスタンド。
【請求項２】
前記支持部材は万能吸盤、万能磁石付き吸盤または伸縮ポールであり、前記連接部材はユーザーの脚上に着装する時、締着度を調節し、前記連接部材は前記固定台に着脱式で連接し、前記支持部材の結合部は前記固定台と着脱式で連接し、前記支持部材は無線充電機能を有することを特徴とする請求項１記載の脚上設置型のスマホスタンド。
【請求項３】
前記連接部材の両端は、複数個の係合孔を穿設し、前記固定台の両端には係合凸をそれぞれ成形し、前記係合凸は前記係合孔と係合して連接することを特徴とする請求項２記載の脚上設置型のスマホスタンド。
【請求項４】
前記連接部材の両端は、面ファスナーフックと面ファスナーループを設け、前記固定台の両端には調節孔をそれぞれ穿設し、前記連接部材の各一端を対応する前記調節孔に挿入した後、前記面ファスナーフックと前記面ファスナーループで貼着することを特徴とする請求項２記載の脚上設置型のスマホスタンド。
【請求項５】
前記連接部材は第一ベルト体、第二ベルト体および調整部材を含み、前記第一ベルト体の一端は前記固定台の一端に連接し、前記第一ベルト体の別の一端は前記調整部材の一端と連接し、前記第二ベルト体の一端は前記固定台の別の一端に連接し、前記第二ベルト体の別の一端は前記調整部材の別の一端と連接し、前記調整部材は前記第一ベルト体及び／または前記第二ベルト体の長さを調節することを特徴とする請求項２記載の脚上設置型のスマホスタンド。
【請求項６】
前記固定台はアンダーカット溝を有し、前記結合部を前記アンダーカット溝に着脱自在に設置し、前記固定台は弾性を有し、前記連接部材は円弧状の弾性体であることを特徴とする請求項２記載の脚上設置型のスマホスタンド。
【請求項７】
前記固定台は鉄片、磁石片、面ファスナー、又はビニールシートであり、前記結合部は磁石片、鉄片、面ファスナー、又は吸盤を前記固定台に対応させて設置し、前記連接部材は円環状の弾性体であることを特徴とする請求項２記載の脚上設置型のスマホスタンド。
【請求項８】
前記固定台はスライド溝を有し、前記結合部をスライドして連接し、前記結合部を前記スライド溝内のクイックリリースボタンに係合させ、前記クイックリリースボタンは前記固定台の外表面に設置し、前記連接部材は、第一ベルト体、第二ベルト体を含み、前記第一ベルト体の一端は前記固定台の一端と回転して連接し、前記第二ベルト体の一端は前記固定台の別の一端と回転して連接し、前記第一ベルト体の別の一端は長さ方向に沿って複数個の嵌合孔が配列され、前記第二ベルト体には前記嵌合孔と相互嵌合する嵌合部材を設置することを特徴とする請求項２記載の脚上設置型のスマホスタンド。
【請求項９】
前記第一ベルト体は、前記固定台と異なる側に穿設溝を設け、前記第二ベルト体を挿入した後、前記嵌合部材で前記嵌合孔に嵌合することを特徴とする請求項８記載の脚上設置型のスマホスタンド。
【請求項１０】
前記支持部材の結合部は、ネジ部材で前記固定台と連接することを特徴とする請求項２記載の脚上設置型のスマホスタンド。
【考案の詳細な説明】
【技術分野】
【０００１】
本考案は、スマホスタンドに関するもので、特に脚上設置型のスマホスタンドに係る。
【背景技術】
【０００２】
現在、既存のスマホスタンドは、スマートフォンまたはタブレットＰＣ等の物品を置くのに用いる。人々は食事したり、映画やテレビを観る時、スマートフォンまたはタブレットＰＣをスマホスタンド上に置き視聴することで、手で持つ必要がなくなるため、若者に喜ばれている。
【０００３】
しかし、現在のスマホスタンドは平台の上に置く必要があり、スマートフォンの角度を調節しにくく、ユーザーがスマートフォンを視聴したり操作したりする姿勢を制限し、更に平台は倒れやすく、倒れた場合スマートフォンまたはタブレット端末が壊れてしまうので、改善の必要がある。
【考案の概要】
【考案が解決しようとする課題】
【０００４】
上述の課題を改善するため、本考案はユーザーのスマートフォンを視聴したり、操作したりする便利性を高める脚上設置型のスマホスタンドを提供する。
【課題を解決するための手段】
【０００５】
上述の目的を達成するため、本考案は実施例において、脚上設置型のスマホスタンドを提供する。それは固定台、連接部材および支持部材を含む。連接部材は前述の固定台を連結するために設置し、上述の連接部材はユーザーの脚上に着装する。
また、支持部材は取付部および結合部を有し、取付部は物品を固定、支持するのに用い、前述の結合部は固定台に固定設置される。
【考案の効果】
【０００６】
本考案の脚上設置型のスマホスタンドは、構造が簡単で、使用しやすく、製造コストが低い。本考案は脚上に着装し、脚部の屈伸状態を変更することで、支持部材が支持、固定する物品の角度を調節し、ユーザーは自身の習慣または好みに応じて座って、または横になってスマートフォンを視聴したり操作したりすることで、ユーザーのスマートフォンの鑑賞または操作の快適さを向上させるという利点がある。
【０００７】
この他、連接部材の締着度を調節することで、脚の太さの違いにも対応し、適応範囲が広く、実用性が高い。
【図面の簡単な説明】
【０００８】
【図１】本考案の脚上設置型のスマホスタンド第一実施例の外観指示図である。
【図２】本考案の脚上設置型のスマホスタンド第二実施例の分解指示図である。
【図３】本考案の脚上設置型のスマホスタンド第三実施例の外観指示図ある。
【図４】本考案の脚上設置型のスマホスタンド第四実施例の外観指示図である。
【図５】本考案の脚上設置型のスマホスタンド第五実施例の分解指示図である。
【図６】本考案の脚上設置型のスマホスタンド第六実施例の分解指示図である。
【図７】本考案の脚上設置型のスマホスタンド第七実施例の分解指示図である。
【図８】本考案の脚上設置型のスマホスタンド第八実施例の分解指示図である。
【図９】本考案の脚上設置型のスマホスタンド第九実施例の外観指示図である。
【考案を実施するための形態】
【０００９】
上述の本考案の内容の中心的な思想を説明するため、具体的な実施例を挙げる。実施例の中の各種異なる物件は説明に供するための比例により、実際の部材の比例ではないことを先に述べておく。
【００１０】
（第一実施形態）
図１から図３に示すとおり、本考案の脚上設置型のスマホスタンドの第一実施例において、スマホスタンド１００は、固定台１０、連接部材２０および支持部材３０を含む。
【００１１】
連接部材２０は固定台１０を連結して設置するためのものであり、連接部材２０はユーザーの脚上に着装する。本実施例において、連接部材２０は固定台１０に着脱自在で連接してもよいし、または一体構造でも良い。更に連接部材２０をユーザーの脚上に着装する時、締着度を調節でき、連接部材２０は布ベルト、バンテージ、ビニールベルトまたは革ベルト等とする。
【００１２】
支持部材３０は取付部３１および結合部３２を有する。取付部３１は物品を固定、支持し、結合部３２は固定台１０に固定するのに用いる。前述の物品はスマートフォンまたはタブレット端末であり、以下はスマートフォンを例として説明する。
支持部材３０は万能吸盤、万能磁石付き吸盤または伸縮ポールであり、支持部材３０の結合部３２は固定台１０と着脱式連接し、且つ結合部３２は円形または正方形とする。本実施例において、支持部材３０は伸縮ポールである。
【００１３】
本実施例において、連接部材２０の両端には複数個の係合孔２１を穿設し、固定台１０の両端にはそれぞれ係合凸１１を成形し、係合凸１１は係合孔２１と係合して連接する。これにより、着脱が便利で、脚上の締着度調節を達成する。
【００１４】
実際に使用する時、連接部材２０を人の脚上に着装する。スマートフォンは支持部材３０上に置いて定位する。拠って、ユーザーは横になったり、または座ったりしながらスマートフォンを視聴したり、操作できる。また、ユーザーは直接、脚部の屈伸状態を変更することでスマートフォンの角度を調節し、更にユーザーがスマートフォンの視聴角度や操作の姿勢を調整することで、視聴角度や操作の快適さを高める。また支持部材３０の取付部３１は結合部３２と相対して回転調整し、支持部材３０は物品に対して支持、固定する他に、物品の角度を調節しやすくする。
【００１５】
連接部材２０の締着度は調節できるので、本考案は脚の異なる太さでも着装でき、適用範囲が広く、実用性が高い。更に連接部材２０と固定台１０は着脱自在の連接を採用し、固定台１０と支持部材３０もまた、着脱自在の連接を採用する。
このように着脱や保全が便利であり、ユーザーの好みに応じて連接部材２０を異なる図案及び／または異なるスタイルに交換したり、または異なるスタイルの支持部材３０に交換する。その他、支持部材３０は取り外せば、独立した物品として支持、固定することもできる。
【００１６】
本考案は、スマホスタンド１００を脚上に着装し、脚部の屈伸状態を変更するだけで、スマートフォンの角度調整を実施し、ユーザーは自身の習慣または好みに応じてスマートフォンを座ってまたは横になって視聴したり操作したりすることで、ユーザーのスマートフォンの視聴または操作する快適さを高める。現技術のスマホスタンドと比較して、本考案は構造が簡単で、使用しやすく、製造コストが低い等の長所を有する。
【００１７】
（第二実施形態）
図２に示すのは、本考案の脚上設置型のスマホスタンドの第二実施例である。第二実施例が第一実施例と異なる点は、支持部材３０が万能吸盤、万能磁石付き吸盤ということである。
連接部材２０の両端は面ファスナーフック２２と面ファスナーループ２３をそれぞれ設置し、固定台１０の両端は調節孔１２をそれぞれ成形し、連接部材２０の各一端を対応する調節孔１２に挿入した後、面ファスナーフック２２と面ファスナーループ２３で貼着する。拠って、連接部材２０と固定台１０の着脱が便利で、連接部材２０の締着度の調節の目的を達成する。
【００１８】
その他、本実施例において、支持部材３０の結合部３２はネジ部材４０で固定台１０と連接する。即ち、結合部３２と固定台１０には相互に対応するネジ孔と通孔を有し、ネジ部材４０によって両者が安定して固定される。
【００１９】
（第三実施形態）
図３に示すのは、本考案の脚上設置型のスマホスタンドの第三実施例である。第三実施例と第一実施例と異なる点は、支持部材３０が無線充電機能を有し、スマートフォンがその上で固定される時無線充電される点である。
【００２０】
（第四実施形態）
図４に示すのは、本考案の脚上設置型のスマホスタンドの第四実施例である。第四実施例が第一実施例と異なる点は、連接部材２０は第一ベルト体２４、第二ベルト体２５および調整部材２６を含む点である。第一ベルト体２４の一端は固定台１０の一端に連接し、第一ベルト体２４の別の一端は調整部材２６一端と連接する。第二ベルト体２５の一端は固定台１０の別の一端に連接し、第二ベルト体２５の別の一端は調整部材２６の別の一端と連接する。調整部材２６が第一ベルト体２４及び／または第二ベルト体２５の長さを調整することで、連接部材２０の締着度を調整する。
【００２１】
（第五実施形態）
図５に示すのは、本考案の脚上設置型のスマホスタンドの第五実施例である。第五実施例が第一実施例と異なる点は、固定台１０はアンダーカット溝１３を有し、アンダーカット溝１３に支持部材３０の結合部３２を着脱自在で設置する点である。更に固定台１０は弾力を有し、連接部材２０は円弧状の弾性体であり、固定台１０が弾力を有することで、支持部材３０の結合部３２が安定して設置されアンダーカット溝１３内で固定され、同時に着脱式の便利性を有する。
【００２２】
（第六実施形態）
図６に示すのは、本考案の脚上設置型のスマホスタンドの第六実施例である。第六実施例が第一実施例と異なる点は、固定台１０は鉄片、磁石片、面ファスナー、ビニールシートであり、支持部材３０の結合部３２は磁石片、鉄片、面ファスナー、吸盤に対応して設置し、連接部材２０は円環状の弾性体であり、吸盤のビニールシート吸着方式か、磁石吸着か、または面ファスナー貼着方式で支持部材３０と固定台１０の着脱を便利にする点である。
【００２３】
（第七実施形態）
図７に示すのは、本考案の脚上設置型のスマホスタンドの第七実施例である。第七実施例が第六実施例と異なる点は、支持部材３０は無線充電機能を有し、スマートフォンがその上部に固定されている時、無線充電する点である。そのうち、固定台１０と支持部材３０の結合構造は互換設置である。
【００２４】
（第八実施形態）
図８に示すのは、本考案の脚上設置型のスマホスタンドの第八実施例である。第八実施例が第一実施例と異なる点は、固定台１０はスライド溝１４を有し、結合部３２をスライドさせて連接する点である。他に結合部３２をスライド溝１４内のクイックリリースボタン１５に係合して固定する。クイックリリースボタン１５は固定台１０の外表面に設置し、連接部材２０は第一ベルト体２７、第二ベルト体２８を含む。
第一ベルト体２７の一端は固定台１０の一端と可動接続し、第二ベルト体２８の一端は固定台１０の別の一端と可動接続する。第一ベルト体２７の別の一端は長さ方向に沿って複数個の嵌合孔２７１を配列し、第二ベルト体２８には嵌合孔２７１と相互に嵌合する嵌合部材２８１を設置する。更に支持部材３０は無線充電機能を有する。これらにより、支持部材３０の結合部３２は固定台１０のスライド溝１４で着脱し、並びにクイックリリースボタン１５で位置固定する。また取外す時には、ただクイックリリースボタン１５を押しさえすれば、直ちに両者が外れるので便利に使用できる。
【００２５】
その他、スライド溝１４の両側壁には第一円弧案内面１４１をそれぞれ成形し、結合部３２の両側には第一円弧案内面１４１とスライドする第二円弧案内面３２１を成形する。第一円弧案内面１４１と第二円弧案内面３２１がスライドして合わさり、結合部３２と固定台１０の結合が安定し、且つ取外しも便利である。
【００２６】
（第九実施形態）
図９に示すのは、本考案の脚上設置型のスマホスタンドの第九実施例である。第九実施例が第八実施例と異なる点は、第一ベルト体２７の固定台１０と異なる側に穿設溝２７２を成形し、第二ベルト体２８を挿入後、嵌合部材２８１で嵌合孔２７１に嵌合する点である。
【００２７】
前述の各実施例のうち、すべての技術特徴は、実際の必要に応じて自在に組み合わせてよい。
【００２８】
上述した実施例は、本考案の良好な実現案であり、この他、本考案は別の方式でも実現できる。拠って、本技術的思想から外れないことを前提として、如何なる変更もすべて本考案の請求範囲に含まれる。
【符号の説明】
【００２９】
１００  スマホスタンド
１０  固定台
１１  係合凸
１２  調節孔
１３  アンダーカット溝
１４  スライド溝
１４１  第一円弧案内面
１５  クイックリリースボタン
２０  連接部材
２１  係合孔
２２  面ファスナーフック
２３  面ファスナーループ
２４  第一ベルト体
２５  第二ベルト体
２６  調整部材
２７  第一ベルト体
２７１  嵌合孔
２７２  穿設溝
２８  第二ベルト体
２８１  嵌合部材
３０  支持部材
３１  取付部
３２  結合部
３２１  第二円弧案内面
４０  ネジ部材
【図１】
0003230399.tif 000003
【図２】
0003230399.tif 000004
【図３】
0003230399.tif 000005
【図４】
0003230399.tif 000006
【図５】
0003230399.tif 000007
【図６】
0003230399.tif 000008
【図７】
0003230399.tif 000009
【図８】
0003230399.tif 000010
【図９】
0003230399.tif 000011